(57)【要約】【課題】搬送機構の負荷を軽減することができるとともに、切替ゲートを設けることなく低額紙幣を２つの貯留部に効率良く振り分けることができる紙幣両替機を提供することを目的としている。【解決手段】第１搬送路５５により、低額紙幣は受入口５２から第１貯留部５３まで搬送され、第２搬送路５６により、同紙幣は受入口５２から第２貯留部５４まで搬送され、第１貯留部５３の第１貯留量は第１検出手段６１により検出されるとともに、第２貯留部５４の第２貯留量は第２検出手段６２により検出され、比較部１１０により、前記検出された第１貯留量と第２貯留量とが比較され、この比較結果に基づき制御部１００により、第１貯留量が第２貯留量よりも多くなるように第２搬送路５６の搬送速度が優先して制御される。【選択図】図１
2004168476.tif 000002
【特許請求の範囲】
【請求項１】
複数の遊技機を列設して成る遊技機島の端部に設けられ、前記各遊技機間にある遊技媒体貸機に挿入されて遊技機島内の紙幣搬送装置により搬送された低額紙幣を受入口より受け入れて、該低額紙幣を高額紙幣の両替用に貯留する紙幣両替機において、
低額紙幣を貯留する第１貯留部と、
前記第１貯留部とは別に低額紙幣を貯留する第２貯留部と、
前記受入口から前記第１貯留部まで低額紙幣を搬送する第１搬送路と、
前記受入口から前記第２貯留部まで低額紙幣を搬送する第２搬送路と、
前記第１貯留部に貯留される低額紙幣の貯留量を第１貯留量として検出する第１検出手段と、
前記第２貯留部に貯留される低額紙幣の貯留量を第２貯留量として検出する第２検出手段と、
前記検出された第１貯留量と第２貯留量とを比較する比較部と、
前記比較部の比較結果に基づいて、前記第１貯留量が前記第２貯留量よりも多くなるように、前記第２搬送路の搬送速度を優先して制御する制御部と、
を備えたことを特徴とする紙幣両替機。
【請求項２】
前記第１検出手段は、前記第１貯留部の第１貯留量が一定量に相当するかを検出し、
前記制御部は、前記第１検出手段により検出された前記第１貯留量が一定量に相当した場合に、前記第１搬送路における低額紙幣の搬送を停止させる
ことを特徴とする請求項１記載の紙幣両替機。
【請求項３】
前記制御部は、前記第１検出手段により検出された前記第１貯留量が一定量に相当した場合に、前記第２搬送路の搬送速度を前記第１搬送路の搬送停止前の搬送速度に設定する
ことを特徴とする請求項２記載の紙幣両替機。
【発明の詳細な説明】
【０００１】
【発明の属する技術分野】
本発明は、複数の遊技機を列設して成る遊技機島の端部に設けられ、前記各遊技機間にある遊技媒体貸機に挿入されて遊技機島内の紙幣搬送装置により搬送された低額紙幣を受入口より受け入れて、該低額紙幣を高額紙幣の両替用に貯留する紙幣両替機に関するものであり、特に搬送機構の負荷を軽減することができるとともに、切替ゲートを設けることなく低額紙幣を２つの貯留部に振り分けることができる紙幣両替機に関する。
【０００２】
【従来の技術】
従来、遊技場で利用されている紙幣両替機としては、パチンコ機を列設して成る遊技機島において、各パチンコ機間にある玉貸機に挿入された低額紙幣（千円札）を、高額紙幣（一万円札、五千円札）の両替に用いる、いわゆるリサイクル両替機が普及している。
【０００３】
この種のリサイクル両替機は、一般的に遊技機島の端部に設けられており、玉貸機に挿入され、その後遊技機島内の紙幣搬送装置により搬送された低額紙幣を受入口で受け入れ、両替機内部の搬送路により貯留部まで低額紙幣を搬送する構成となっている。
【０００４】
ここで例えば特許文献１には、貯留部を２つに分け、第１貯留部により払い出し用の低額紙幣を貯留し、第２貯留部により低額紙幣を予備的に貯留し、これら第１貯留部と第２貯留部に低額紙幣を振り分けて貯留するために、内部の搬送路上に切替ゲートを設ける技術が記載されている。
【０００５】
前記特許文献１に記載の技術によれば、第１貯留部において紙幣が満杯のときあるいは故障が発生した場合に、低額紙幣の搬送先を切替ゲートによって第１貯留部から第２貯留部に切り替えることにより、収納の一時停止を生じさせないように構成している。
【０００６】
【特許文献１】
特許２９６４７１４号公報
【０００７】
【発明が解決しようとする課題】
しかしながら、前述したような従来の技術では、切替ゲートに達するまでは低額紙幣を装置内の一本の搬送部のみで常に一定速度で搬送しているため、この搬送部を構成するローラやモータ等の搬送機構に過度の負荷がかかるとともに、切替ゲートにおいて紙幣詰まりが発生しやすいという問題があった。
【０００８】
また、こうした問題は、第１貯留部において紙幣が満杯のとき、あるいは故障が発生した場合に限らず、第１貯留部に貯留される低額紙幣の貯留量を、第２貯留部に貯留される低額紙幣の貯留量よりも多くする場合も起こり得る。
【０００９】
本発明は、以上のような従来技術が有する問題点に着目してなされたもので、搬送機構の負荷を軽減することができるとともに、切替ゲートを設けることなく低額紙幣を２つの貯留部に効率良く振り分けることができる紙幣両替機を提供することを目的としている。
【００１０】
【課題を解決するための手段】
前述した目的を達成するための本発明の要旨とするところは、以下の各項に存する。
［１］複数の遊技機（１０）を列設して成る遊技機島（１）の端部に設けられ、前記各遊技機（１０）間にある遊技媒体貸機（２０）に挿入されて遊技機島（１）内の紙幣搬送装置（３０）により搬送された低額紙幣を受入口（５２）より受け入れて、該低額紙幣を高額紙幣の両替用に貯留する紙幣両替機（５０）において、
低額紙幣を貯留する第１貯留部（５３）と、
前記第１貯留部（５３）とは別に低額紙幣を貯留する第２貯留部（５４）と、前記受入口（５２）から前記第１貯留部（５３）まで低額紙幣を搬送する第１搬送路（５５）と、
前記受入口（５２）から前記第２貯留部（５４）まで低額紙幣を搬送する第２搬送路（５６）と、
前記第１貯留部（５３）に貯留される低額紙幣の貯留量を第１貯留量として検出する第１検出手段（６１，６１ａ）と、
前記第２貯留部（５４）に貯留される低額紙幣の貯留量を第２貯留量として検出する第２検出手段（６２）と、
前記検出された第１貯留量と第２貯留量とを比較する比較部（１１０）と、
前記比較部（１１０）の比較結果に基づいて、前記第１貯留量が前記第２貯留量よりも多くなるように、前記第２搬送路（５６）の搬送速度を優先して制御する制御部（１００）と、
を備えたことを特徴とする紙幣両替機（５０）。
【００１１】
［２］前記第１検出手段（６１ａ）は、前記第１貯留部（５３）の第１貯留量が一定量に相当するかを検出し、
前記制御部（１００）は、前記第１検出手段（６１ａ）により検出された前記第１貯留量が一定量に相当した場合に、前記第１搬送路（５５）における低額紙幣の搬送を停止させる
ことを特徴とする［１］記載の紙幣両替機（５０）。
【００１２】
［３］前記制御部（１００）は、前記第１検出手段（６１ａ）により検出された前記第１貯留量が一定量に相当した場合に、前記第２搬送路（５６）の搬送速度を前記第１搬送路（５５）の搬送停止前の搬送速度に設定する
ことを特徴とする［２］記載の紙幣両替機（５０）。
【００１３】
前記本発明は次のように作用する。
［１］記載の紙幣両替機（５０）によれば、第１搬送路（５５）は、受入口（５２）から第１貯留部（５３）まで低額紙幣を搬送するとともに、第２搬送路（５６）は、受入口（５２）から第２貯留部（５４）まで低額紙幣を搬送する。このように低額紙幣は、第１搬送路（５５）と第２搬送路（５６）の別々の搬送路を介して、第１貯留部（５３）と第２貯留部（５４）とにそれぞれ搬送し貯留できるので、いずれか一方の搬送路（５５，５６）ないし貯留部（５３，５４）に不具合が生じても、他方を活用することができるとともに、いずれか一方のみに負荷が集中する事態を防止することが可能となる。
【００１４】
さらに第１検出手段（６１，６１ａ）は、前記第１貯留部（５３）に貯留される低額紙幣の貯留量を第１貯留量として検出し、第２検出手段（６２）は、前記第２貯留部（５４）に貯留される低額紙幣の貯留量を第２貯留量として検出する。そして、これら検出された第１貯留量と第２貯留量とを比較部（１１０）が比較し、該比較部（１１０）の比較結果に基づいて制御部（１００）は、第１貯留量が第２貯留量よりも多くなるように、優先して第２搬送路（５６）の搬送速度を制御する。
【００１５】
それにより、第１貯留部（５３）を主とし第２貯留部（５４）を予備的に活用すべく、第１貯留量を第２貯留量よりも多く調整するような場合には、第１搬送路（５５）の搬送速度を上げるのではなく、第２搬送路（５６）の搬送速度を優先的に減速させることで、かかる搬送速度を通常よりも抑えることができるので、特に第２貯留部（５４）における搬送機構の負荷を軽減することができる。
【００１６】
しかも、低額紙幣を前記第１貯留部（５３）と前記第２貯留部（５４）とに振り分けるために、従来技術にあるような切替ゲートを設けなくても済むので、かかる切替ゲートにおける紙幣詰まりの問題も解消することができる。
【００１７】
［２］記載の紙幣両替機（５０）によれば、第１検出手段（６１ａ）は、第１貯留部（５３）の第１貯留量が一定量、例えば満杯量に相当するかを検出し、制御部（１００）は、第１貯留部（５３）の低額紙幣が満杯になったことに応じて、第１搬送路（５５）における低額紙幣の搬送を停止させる。
【００１８】
それにより、第１貯留部（５３）に貯留される低額紙幣が満杯になった場合には、第１貯留部（５３）に一定量を越える低額紙幣が過度に搬送されることはなく、第２搬送路（５６）により、受入口（５２）から第２貯留部（５４）まで低額紙幣が搬送されるから、低額紙幣の搬送自体が中断されるおそれはない。
【００１９】
［３］記載の紙幣両替機（５０）によれば、制御部（１００）は、第１検出手段（６１ａ）により検出された第１貯留量が一定量に相当した場合に、第２搬送路（５６）の搬送速度を第１搬送路（５５）の搬送停止前の搬送速度に設定する。
【００２０】
それにより、搬送停止前の第１搬送路（５５）の搬送効率と同等の搬送効率を維持したまま、搬送先を前記第２貯留部（５４）のみに代えることが可能となり、第２貯留部（５４）に対する低額紙幣の搬送を効率的に行うことができる。
【００２１】
【発明の実施の形態】
以下、図面に基づき本発明を代表する一実施の形態を説明する。
図１および図２は、本発明の一実施の形態を示している。
本実施の形態に係る紙幣両替機５０は、複数の遊技機であるパチンコ機１０を列設して成る遊技機島１の端部に設けられ、各パチンコ機１０間にある遊技媒体貸機である玉貸機２０に挿入されて遊技機島１内の紙幣搬送装置３０により搬送された低額紙幣を受入口５２より受け入れて、該低額紙幣を高額紙幣の両替用に貯留する装置である。この種のパチンコ機１０は、玉貸機２０に利用された低額紙幣を両替機で再利用する観点より、一般にはリサイクル両替機と称されている。
【００２２】
図２に示すように、遊技機島１は、その骨組みとなる支持枠２の中段付近に、複数のパチンコ機１０を背中合わせの２列に列設して成る。パチンコ機１０は、そのハンドル１２を回転操作することにより、遊技盤１１上にパチンコ玉を発射して、該発射された打玉の落下過程で各種役物への入賞を競い楽しむ遊技機である。ただし、遊技機はパチンコ機に限定されるものではなく、遊技媒体としてメダルやコインを用いるスロットマシン等でもよい。
【００２３】
遊技機島１における各パチンコ機１０間には、遊技媒体であるパチンコ玉を貸し出す玉貸機２０が介装されている。玉貸機２０は、紙幣投入口２１から挿入された低額紙幣、あるいは硬貨投入口２２から挿入された硬貨の金額に応じて、その金額に相当する個数のパチンコ玉を貸し出す装置であり、各パチンコ機１０に対して対を成すように配されている。なお、低額紙幣には千円札が該当し、玉貸機２０では低額紙幣のみが扱えるようになっており、五千円札や一万円札は、紙幣両替機５０によって千円札に両替された上で、玉貸機２０での利用に供される。
【００２４】
遊技機１内で背中合わせのパチンコ機１０の上部背面間には、島長手方向に沿って略水平に延びる紙幣搬送装置３０が配設されている。紙幣搬送装置３０は、前記玉貸機２０に挿入された紙幣を、島長手方向に延びるハウジング内で等間隔に軸支されたローラに掛け渡された一対のベルト間に挟持した状態で島端まで搬送する装置である。紙幣搬送装置３０の終端部が、紙幣両替機５０の筐体５１の背面部に開設された受入口５２に連通接続されている。なお、背中合わせのパチンコ機１０の下部背面間には、島長手方向に沿って略水平に延びる硬貨搬送装置４０も配設されている。
【００２５】
本発明の根幹を成す紙幣両替機５０は、その筐体５１の内部に図１に示すように、第１貯留部５３と、第２貯留部５４と、第１搬送路５５と、第２搬送路５６と、第１検出手段６１と、第２検出手段６２と、比較部１１０と、制御部１００とを少なくとも備えている。
【００２６】
第１貯留部５３は、低額紙幣の長辺を先頭にして紙面を上方に向けた姿勢で送り込まれる低額紙幣を、先に搬送される低額紙幣の上に順次重ねるように積層させて貯留する箱状のものである。第１貯留部５３の底部には、貯留した低額紙幣を払い出すための払出口５３ａが開設されている。
【００２７】
紙幣両替機５０では、第１貯留部５３が貯留の主となり低額紙幣をより多く収納し、第２貯留部５４は、第１貯留部５３の予備として活用されるようになっている。また、紙幣両替機５０では、遊技者の両替操作に基づき、該紙幣両替機５０に挿入された高額紙幣（五千円札または一万円札）が、同額に相当する枚数の低額紙幣（千円札）に両替されて、第１貯留部５３に貯留されている分が払出口５３ａから払い出されるように構成されている。
【００２８】
第２貯留部５４も前記第１貯留部５３と同様に、低額紙幣の長辺を先頭にして紙面を上方に向けた姿勢で送り込まれる低額紙幣を、先に搬送される低額紙幣の上に順次重ねるように積層させて貯留する箱状のものである。なお、第２貯留部５４に収納された低額紙幣は、遊技場店員により手動で回収したり第１貯留部５３へ移したり、あるいは自動的に第１貯留部５３側へ所定量ずつ、または両替による払い出し分で減った分だけ移送するように構成してもよい。
【００２９】
第１搬送路５５は、前記受入口５２から前記第１貯留部５３まで低額紙幣を搬送するものであり、その始端部は前記受入口５２に挿入された低額紙幣を受け入れ可能な位置を臨むように配され、低額紙幣を排出する終端部は、前記第１貯留部５３まで延ばされ該第１貯留部５３の上部に連通接続されている。前述したように、第１搬送路５５の終端部より低額紙幣は、その長辺を先頭にして紙面を上方に向けた姿勢で第１貯留部５３内に送り込まれて自然落下し、第１貯留部５３の底部上に順次積層する。また、第１貯留部５３の払出口５３ａより両替操作に応じて払い出される。
【００３０】
詳しく言えば第１搬送路５５は、その全長に亘って所定間隔おきに軸支された各ローラ５５ａ間に掛け渡された一対の挟持ベルト間に形成されるものであり、ローラ５５ａおよび挟持ベルトを回転させる第１駆動モータ５７によって、第１搬送路５５は稼動する。ここで第１駆動モータ５７の回転数の制御により、第１搬送路５５の搬送速度は任意に調整可能であり、第１駆動モータ５７は信号線を介して後述の制御部１００に接続されている。
【００３１】
第２搬送路５６は、前記受入口５２から前記第２貯留部５４まで低額紙幣を搬送するものであり、その始端部は前記受入口５２に挿入された低額紙幣を受け入れ可能な位置を臨むように配され、低額紙幣を排出する終端部は、前記第２貯留部５４まで延ばされ該第２貯留部５４の上部に連通接続されている。前述したように、第２搬送路５６の終端部より低額紙幣は、その長辺を先頭にして紙面を上方に向けた姿勢で第２貯留部５４内に送り込まれて自然落下し、第２貯留部５４の底部上に順次積層する。
【００３２】
第２搬送路５６も前記第１搬送路５５と同様に、その全長に亘って所定間隔おきに軸支された各ローラ５６ａ間に掛け渡された一対の挟持ベルト間に形成されるものであり、ローラ５６ａおよび挟持ベルトを回転させる第２駆動モータ５８によって、第２搬送路５６は稼動する。ここで第２駆動モータ５８の回転数の制御により、第２搬送路５６の搬送速度は任意に調整可能であり、第２駆動モータ５８も信号線を介して後述の制御部１００に接続されている。
【００３３】
第１検出手段６１は、前記第１貯留部５３に貯留される低額紙幣の貯留量を第１貯留量として検出するものである。第１検出手段６１は、具体的には例えば、第１貯留部５３の底部より上方に順次積層する低額紙幣の最上段が、第１貯留部５３内で予め複数段階に設定された深さ位置に到達したことを検出可能な複数の接点、フォトセンサ等の近接センサ、磁気センサ、あるいは紙幣の重量を検出する圧力センサ等により構成されるものである。
【００３４】
具体的には例えば、第１検出手段６１を近接センサや磁気センサで構成した場合には、第１貯留部５３の上部より低額紙幣が自然落下する際には断続的にＯＮとなる一方、当該位置まで低額紙幣が積層蓄積されると継続してＯＮとなり、かかるＯＮ状態が例えば２秒以上継続した際に、後述する制御部１００で、第１貯留部５３内の低額紙幣の貯留量が当該センサのある深さ位置に相当する第１貯留量として検出されるように設定するとよい。また、第１検出手段６１を圧力センサとすれば、簡易に構成することができる。
【００３５】
さらに第１貯留部５３の上部には、前記第１検出手段６１の配置位置よりも高い位置に、第１検出手段６１とは別に第１検出手段を成す満杯検出手段６１ａも設けられている。かかる満杯検出手段６１ａは、第１貯留部５３内における低額紙幣の貯留量が限界量である満杯（一定量）に達した際に、前記第１検出手段６１とほぼ同様の構成・機能によって、制御部１００に第１貯留量として第１貯留部５３内の低額紙幣の貯留量が満杯（一定量）に相当する旨の信号を出力するように設定されている。
【００３６】
第２検出手段６２は、前記第２貯留部５４に貯留される低額紙幣の貯留量を第２貯留量として検出するものである。かかる第２検出手段６２も、前記第１検出手段６１と同様に第２貯留部５４の底部より上方に順次積層する低額紙幣の最上段が、第２貯留部５４内で予め複数段階に設定された深さ位置に到達したことを検出可能な複数の接点、フォトセンサ等の近接センサ、磁気センサ、あるいは紙幣の重量を検出する圧力センサ等により構成されるものである。
【００３７】
第２検出手段６２も、具体的には例えば、前記第１検出手段６１と同様に近接センサや磁気センサで構成した場合、第２貯留部５４の上部より低額紙幣が自然落下する際には断続的にＯＮとなる一方、当該位置まで低額紙幣が積層蓄積されると継続してＯＮとなり、かかるＯＮ状態が例えば２秒以上継続した際に、後述する制御部１００で、第２貯留部５４内の低額紙幣の貯留量が当該センサのある深さ位置に相当する第２貯留量として検出されるように設定するとよい。また、第２検出手段６２を圧力センサとすれば、簡易に構成することができる。
【００３８】
制御部１００および比較部１１０は、例えばマイクロコンピュータより構成される。ここでマイクロコンピュータは、紙幣両替機５０の動作を集中管理するものであり、インターフェース，ＣＰＵ，ＲＡＭ，ＲＯＭ等から構成され、制御部１００や比較部１１０は主としてＣＰＵの機能として実現され、かかる機能はＲＯＭにプログラムされている。また、第１検出手段６１、満杯検出手段６１ａ、それに第２検出手段６２がそれぞれ検出すべき具体的な量は、適宜変更して設定することができるものであり、フロッピー（登録商標）ディスク等の記憶媒体に書き換え可能に記憶されるようになっている。比較部１１０には、信号線を介して第１検出手段６１と第２検出手段６２が接続され、制御部１００には、信号線を介して満杯検出手段６１ａと第１駆動モータ５７および第２駆動モータ５８が接続されている。
【００３９】
比較部１１０は、第１検出手段６１および第２検出手段６２からの各信号に基づき、それぞれで検出された第１貯留量と第２貯留量とを比較するものである。制御部１００は、比較部１１０の比較結果に基づいて、第１貯留量が第２貯留量よりも多くなるように、前記第２搬送路５６の搬送速度を優先して制御するように設定されている。
【００４０】
詳しく言えば制御部１００は、第１搬送路５５の搬送速度を上げることなく、第２搬送路５６の搬送速度を初期設定された基準値よりも減速させることで、第１搬送路５５が第２搬送路５６よりも低額紙幣をより多く搬送するように調整する。かかる制御部１００の制御により、第１貯留量が第２貯留量よりも多くなる状態が維持されるように設定されている。なお、前述したが第１搬送路５５、第２搬送路５６における搬送速度は、それぞれの駆動源である第１駆動モータ５７、第２駆動モータ５８の回転数を制御することにより容易に任意の速度に調整できる。
【００４１】
また、制御部１００は、前記満杯検出手段６１ａによって前記第１貯留部５３の第１貯留量が満杯に相当すると検出された場合に、前記第１搬送路５５における低額紙幣の搬送を停止させる、すなわち第１駆動モータ５７を停止させるように設定されている。ここで制御部１００は、さらに前記第２搬送路５６の搬送速度を前記第１搬送路５５の搬送停止前の搬送速度に設定するようになっている。
【００４２】
次に前記紙幣両替機５０の作用を説明する。
図２において、遊技機島１の各玉貸機２０に挿入された低額紙幣は、遊技機島１内の紙幣搬送装置３０によって島端にある紙幣両替機５０の受入口５２まで搬送される。受入口５２に受け入れられた低額紙幣は、これをそれぞれ取り込み可能な第１搬送路５５の始端部または第２搬送路５６の始端部から取り込まれるが、第１搬送路５５と第２搬送路５６の双方が稼働している際には、例えば、第１搬送路５５と第２搬送路５６との搬送速度に応じた分配比率により各始端部に取り込まれる。
【００４３】
紙幣両替機５０によれば、第１搬送路５５は、受入口５２から第１貯留部５３まで低額紙幣を搬送するとともに、第２搬送路５６は、受入口５２から第２貯留部５４まで低額紙幣を搬送する。このように低額紙幣は、第１搬送路５５と第２搬送路５６の別々の搬送路を介して、第１貯留部５３と第２貯留部５４とにそれぞれ搬送し貯留できるので、いずれか一方の搬送路５５，５６ないし貯留部５３，５４に不具合が生じても、他方を活用することができるとともに、いずれか一方のみに負荷が集中する事態を防止することが可能となる。
【００４４】
図１において、第１搬送路５５により搬送された低額紙幣は、その長辺を先頭にして紙面を上方に向けた姿勢で第１貯留部５３内に送り込まれて自然落下し、第１貯留部５３の底部上に順次積層する。同様に、第２搬送路５６により搬送された低額紙幣は、その長辺を先頭にして紙面を上方に向けた姿勢で第２貯留部５４内に送り込まれて自然落下し、第２貯留部５４の底部上に順次積層する。
【００４５】
第１貯留部５３では、第１検出手段６１によって、第１貯留部５３内に貯留される低額紙幣の貯留量が第１貯留量として検出され、さらに、満杯検出手段６１ａによって、第１貯留部５３内における低額紙幣の貯留量が満杯（一定量）に達した際にその旨が検出される。また、第２貯留部５４では、第２検出手段６２によって、第２貯留部５４内に貯留される低額紙幣の貯留量が第２貯留量として検出される。
【００４６】
本実施の形態では、第１貯留部５３を主として第２貯留部５４を予備として活用するために、第１貯留量が第２貯留量よりも多くなるように設定する必要がある。そのため、第１検出手段６１と第２検出手段６２により検出された第１貯留量と第２貯留量は、比較部１１０によって互いに比較され、該比較部１１０の比較結果に基づいて制御部１００は、第１貯留量が第２貯留量よりも多くなるように、優先して第２搬送路５６の搬送速度を制御する。
【００４７】
すなわち、第１搬送路５５と第２搬送路５６とで搬送速度が速い方に、より多くの低額紙幣が取り込まれるので、第２搬送路５６に比べて第１搬送路５５の搬送速度が速くなるように制御されるが、第１搬送路５５の搬送速度を上げることなく、第２搬送路５６の搬送速度を初期設定された基準値よりも減速させることで、第１搬送路５５が第２搬送路５６よりも低額紙幣をより多く搬送するように調整する。このような制御により、第１貯留量が第２貯留量よりも多くなる状態が維持されるとともに、特に第２貯留部５４の搬送機構の負荷を軽減することができる。
【００４８】
また、制御部１００は、満杯検出手段６１ａによって第１貯留部５３の第１貯留量が満杯に相当すると検出された場合には、第１搬送路５５における低額紙幣の搬送を停止させる。それにより、第１貯留部５３に貯留される低額紙幣が満杯になった場合には、第１貯留部５３に一定量を越える低額紙幣が過度に搬送されることはなく、第２搬送路５６により、受入口５２から第２貯留部５４まで低額紙幣が搬送されるから、低額紙幣の搬送自体が中断されるおそれはない。
【００４９】
さらに、制御部１００は、第２搬送路５６の搬送速度を第１搬送路５５の搬送停止前の搬送速度に設定する。それにより、搬送停止前の第１搬送路５５の搬送効率と同等の搬送効率を維持したまま、搬送先を第２貯留部５４のみに代えることが可能となり、第２貯留部５４に対する低額紙幣の搬送を効率的に行うことができる。
【００５０】
以上のような紙幣両替機５０では、遊技者の両替操作に基づき、該紙幣両替機５０に挿入された高額紙幣（五千円札または一万円札）が、同額に相当する枚数の低額紙幣（千円札）に両替されて、第１貯留部５３に貯留されている分が払出口５３ａから払い出される。
【００５１】
なお、本発明の実施の形態を図面によって説明してきたが、具体的な構成は前述した実施の形態に限られるものではなく、本発明の要旨を逸脱しない範囲における変更や追加があっても本発明に含まれる。
【００５２】
【発明の効果】
本発明に係る紙幣両替機によれば、第１搬送路は、受入口から第１貯留部まで低額紙幣を搬送するとともに、第２搬送路は、受入口から第２貯留部まで低額紙幣を搬送するので、いずれか一方の搬送路ないし貯留部に不具合が生じても、他方を活用することができ、いずれか一方のみに負荷が集中する事態を防止することが可能となる。しかも、低額紙幣を前記第１貯留部と前記第２貯留部とに振り分けるために、従来技術にあるような切替ゲートを設けなくても済むので、かかる切替ゲートにおける紙幣詰まりの問題も解消することができる。
【００５３】
また、第１貯留部の第１貯留量は第１検出手段により検出され、第２貯留部の第２貯留量は第２検出手段により検出され、比較部により、前記検出された第１貯留量と第２貯留量とが比較され、この比較結果に基づき制御部により、第１貯留量が第２貯留量よりも多くなるように第２搬送路５６の搬送速度が優先して制御されるから、第１貯留部を主とし第２貯留部を予備的に活用すべく、第１貯留量を第２貯留量よりも多く調整する場合に、搬送機構の負荷を軽減することができる。
【図面の簡単な説明】
【図１】本発明の一実施の形態に係る紙幣両替機を示すブロック図である。
【図２】本発明の一実施の形態に係る紙幣両替機を装備した遊技機島を示す正面図である。
【符号の説明】
１…遊技機島
１０…パチンコ機
２０…玉貸機
３０…紙幣搬送装置
４０…硬貨搬送装置
５０…紙幣両替機
５１…筐体
５２…受入口
５３…第１貯留部
５３ａ…払出口
５４…第２貯留部
５５…第１搬送路
５５ａ…ローラ
５６…第２搬送路
５６ａ…ローラ
５７…第１駆動モータ
５８…第２駆動モータ
６１…第１検出手段
６１ａ…満杯検出手段
６２…第２検出手段
１００…制御部
１１０…比較部
【図１】
2004168476.tif 000003
【図２】
2004168476.tif 000004